(57)【特許請求の範囲】
【請求項１】
原子炉圧力容器の下部を貫通する複数の貫通配管を通じて前記原子炉圧力容器内部に挿入されて前記原子炉圧力容器内部の廃棄物を吸入する吸入ユニット；
前記吸入ユニットと連結されて前記廃棄物を処理する廃棄物処理部；および
前記廃棄物処理部と連結されて前記吸入ユニットを挟んで前記原子炉圧力容器下部に位置する下部収集部
を含む、原子炉圧力容器の廃棄物処理装置。
【請求項２】
前記吸入ユニットは、前記複数の貫通配管を通じて前記原子炉圧力容器内部に挿入される複数の挿入体を含み、
前記複数の挿入体は、前記廃棄物を吸入するフレキシブル吸入器を含む、請求項１に記載の原子炉圧力容器の廃棄物処理装置。
【請求項３】
前記複数の挿入体は、カメラ、放射線計測器、マニピュレータ（ｍａｎｉｐｕｌａｔｏｒ）、薬品注入器、攪拌機、超音波発生器、および空気注入器をさらに含む、請求項２に記載の原子炉圧力容器の廃棄物処理装置。
【請求項４】
前記下部収集部は、前記原子炉圧力容器内部から前記複数の貫通配管を通じて落下する落下廃棄物を収集する、請求項１に記載の原子炉圧力容器の廃棄物処理装置。
【請求項５】
原子炉圧力容器の下部を貫通する複数の貫通配管を通じて前記原子炉圧力容器内部に吸入ユニットを挿入する段階；
前記吸入ユニットを用いて前記原子炉圧力容器内部の廃棄物を吸入する段階；
前記複数の貫通配管を通じて前記原子炉圧力容器内部から落下する落下廃棄物を、前記吸入ユニットを挟んで前記原子炉圧力容器下部に位置する下部収集部に収集する段階；および
前記吸入ユニットおよび前記下部収集部と連結された廃棄物処理部を用いて前記廃棄物および前記落下廃棄物を処理する段階
を含む、原子炉圧力容器の廃棄物処理方法。
【請求項６】
前記吸入ユニットを挿入する段階は、前記吸入ユニットに含まれている複数の挿入体を前記複数の貫通配管を通じて前記原子炉圧力容器内部に挿入して行い、
前記廃棄物を吸入する段階は、
前記複数の挿入体に含まれているフレキシブル吸入器を用いて前記原子炉圧力容器内部の前記廃棄物を吸入する段階を含む、請求項５に記載の原子炉圧力容器の廃棄物処理方法。
【請求項７】
前記廃棄物を吸入する段階は、
前記複数の挿入体に含まれているカメラを用いて前記原子炉圧力容器内部の前記廃棄物に含まれている固体を確認する段階；
前記複数の挿入体に含まれているマニピュレータ（ｍａｎｉｐｕｌａｔｏｒ）を用いて前記廃棄物に含まれている前記固体を物理的に破砕する段階；
前記複数の挿入体に含まれている薬品注入器を用いて前記廃棄物に含まれている前記固体を化学的に溶解する段階；および
前記複数の挿入体に含まれている攪拌機および超音波発生器を用いて前記廃棄物を攪拌する段階
をさらに含む、請求項６に記載の原子炉圧力容器の廃棄物処理方法。
【発明の詳細な説明】
【技術分野】
【０００１】
本記載は、原子炉圧力容器の廃棄物処理装置および原子炉圧力容器の廃棄物処理方法に関するものである。
【背景技術】
【０００２】
一般に、原子力発電に用いられる原子力施設の中の加圧軽水炉型原子力発電所は、原子炉圧力容器、原子炉圧力容器の下部を貫通して原子炉圧力容器内部を計測する炉内計測器｛Ｉｎ−ｃｏｒｅ  ｉｎｓｔｒｕｍｅｎｔ（ＩＣＩ）｝ノズル、および原子炉圧力容器と炉内計測器ノズルを囲む生体保護コンクリートを含む。
【０００３】
原子力施設の解体時、原子炉圧力容器を生体保護コンクリートから容易に分離するためには原子炉圧力容器から炉内計測器ノズルを分離し、原子炉圧力容器内部の廃棄物を原子炉圧力容器から分離する必要がある。
【発明の概要】
【発明が解決しようとする課題】
【０００４】
一実施形態は、原子力施設の解体時、原子炉圧力容器内部の廃棄物を容易に処理する原子炉圧力容器の廃棄物処理装置、および原子炉圧力容器の廃棄物処理方法を提供しようとする。
【課題を解決するための手段】
【０００５】
一側面は、原子炉圧力容器の下部を貫通する複数の貫通配管を通じて前記原子炉圧力容器内部に挿入されて前記原子炉圧力容器内部の廃棄物を吸入する吸入ユニット、前記吸入ユニットと連結されて前記廃棄物を処理する廃棄物処理部、および前記廃棄物処理部と連結されて前記吸入ユニットを挟んで前記原子炉圧力容器下部に位置する下部収集部を含む原子炉圧力容器の廃棄物処理装置を提供する。
【０００６】
前記吸入ユニットは前記複数の貫通配管を通じて前記原子炉圧力容器内部に挿入される複数の挿入体を含み、前記複数の挿入体は前記廃棄物を吸入するフレキシブル吸入器を含むことができる。
【０００７】
前記複数の挿入体は、カメラ、放射線計測器、マニピュレータ（ｍａｎｉｐｕｌａｔｏｒ）、薬品注入器、攪拌機、超音波発生器、および空気注入器をさらに含むことができる。
【０００８】
前記下部収集部は、前記原子炉圧力容器内部から前記複数の貫通配管を通じて落下する落下廃棄物を収集することができる。
【０００９】
また、一側面は、原子炉圧力容器の下部を貫通する複数の貫通配管を通じて前記原子炉圧力容器内部に吸入ユニットを挿入する段階、前記吸入ユニットを用いて前記原子炉圧力容器内部の廃棄物を吸入する段階、前記複数の貫通配管を通じて前記原子炉圧力容器内部から落下する落下廃棄物を、前記吸入ユニットを挟んで前記原子炉圧力容器下部に位置する下部収集部に収集する段階、および前記吸入ユニットおよび前記下部収集部と連結された廃棄物処理部を用いて前記廃棄物および前記落下廃棄物を処理する段階を含む原子炉圧力容器の廃棄物処理方法を提供する。
【００１０】
前記吸入ユニットを挿入する段階は、前記吸入ユニットに含まれている複数の挿入体を前記複数の貫通配管を通じて前記原子炉圧力容器内部に挿入して行い、前記廃棄物を吸入する段階は、前記複数の挿入体に含まれているフレキシブル吸入器を用いて前記原子炉圧力容器内部の前記廃棄物を吸入する段階を含むことができる。
【００１１】
前記廃棄物を吸入する段階は、前記複数の挿入体に含まれているカメラを用いて前記原子炉圧力容器内部の前記廃棄物に含まれている固体を確認する段階、前記複数の挿入体に含まれているマニピュレータ（ｍａｎｉｐｕｌａｔｏｒ）を用いて前記廃棄物に含まれている前記固体を物理的に破砕する段階、前記複数の挿入体に含まれている薬品注入器を用いて前記廃棄物に含まれている前記固体を化学的に溶解する段階、および前記複数の挿入体に含まれている攪拌機および超音波発生器を用いて前記廃棄物を攪拌する段階をさらに含むことができる。
【発明の効果】
【００１２】
一実施形態によれば、原子力施設の解体時、原子炉圧力容器内部の廃棄物を容易に処理する原子炉圧力容器の廃棄物処理装置および原子炉圧力容器の廃棄物処理方法が提供される。
【図面の簡単な説明】
【００１３】
【図１】一実施形態による原子炉圧力容器の廃棄物処理装置を示した図である。
【図２】図１のＡ部分を示した図である。
【図３】他の実施形態による原子炉圧力容器の廃棄物処理方法を示すフローチャートである。
【発明を実施するための形態】
【００１４】
以下、添付した図面を参照して本発明の実施形態について本発明の属する技術分野における通常の知識を有する者が容易に実施できるように詳しく説明する。本発明は様々な異なる形態に実現でき、ここで説明する実施形態に限定されない。
【００１５】
また、明細書全体で、ある部分がある構成要素を“含む”という時、これは特に反対になる記載がない限り、他の構成要素を除くのではなく他の構成要素をさらに含むことができることを意味する。
【００１６】
以下、図１および図２を参照して一実施形態による原子炉圧力容器の廃棄物処理方法を説明する。
【００１７】
以下では、原子炉圧力容器として加圧軽水炉型（ＰＷＲ）原子力発電所に含まれている原子炉圧力容器を一例として説明するが、これに限定されず、原子炉圧力容器は沸騰軽水炉型（ＢＷＲ）原子力発電所に含まれている原子炉圧力容器であってもよい。
【００１８】
加圧軽水炉型原子力発電所は、冷却材と減速材として軽水を使用し、核燃料はウラニウム２３５を約２％〜４％に濃縮して使用する。加圧軽水炉型原子力発電所は、原子炉内で核分裂によって発生される熱を蒸気発生器に送って熱交換させる原子炉系統に関連する施設と、蒸気発生器から発生された蒸気でタービンを回した後、復水器を経て水に還元させた後、再び蒸気発生器に循環されるタービンおよび発電機系統に関連する施設に区分できる。
【００１９】
一般に、原子炉系統の熱伝達媒体である冷却材（軽水）は原子炉で約３２０℃まで加熱され、沸騰しないように約１５３気圧で加圧される。系統を構成する機器としては一定のエンタルピーを維持するために圧力を調整する加圧機、原子炉と蒸気発生器の間に冷却材を循環させる冷却材ポンプがある。蒸気発生器から発生された蒸気がタービンを回してタービン軸に連結された発電機で電力を生産する系統は一般火力発電所の原理と同一であり得る。
【００２０】
図１は、一実施形態による原子炉圧力容器の廃棄物処理装置を示した図である。
【００２１】
図１を参照すれば、一実施形態による原子炉圧力容器の廃棄物処理装置１０００は、原子力施設の解体時、原子炉圧力容器１０の下部を貫通する複数の貫通配管１１を通じて原子炉圧力容器１０内部の廃棄物２０を吸入して処理する。
【００２２】
ここで、原子炉圧力容器１０の下部を貫通する複数の貫通配管１１は原子炉圧力容器１０の下部を貫通して原子炉圧力容器１０内部を計測する炉内計測器｛Ｉｎ−ｃｏｒｅ  ｉｎｓｔｒｕｍｅｎｔ（ＩＣＩ）｝ノズルをガイドする貫通配管であってもよく、炉内計測器ノズルは原子炉圧力容器１０から分離された状態である。原子炉圧力容器１０は生体コンクリートに支持された状態であってもよいが、これに限定されない。
【００２３】
原子炉圧力容器の廃棄物処理装置１０００は、吸入ユニット１００、廃棄物処理部２００、および下部収集部３００を含む。
【００２４】
吸入ユニット１００は、原子炉圧力容器１０の下部に位置する。吸入ユニット１００は、原子炉圧力容器１０の下部を貫通する複数の貫通配管１１を通じて原子炉圧力容器１０内部に挿入されて原子炉圧力容器１０内部の廃棄物２０を吸入する。吸入ユニット１００は廃棄物処理部２００と連結され、吸入ユニット１００が吸入した廃棄物２０は廃棄物処理部２００に移動して廃棄物処理部２００で処理される。
【００２５】
ここで、廃棄物処理部２００の処理は廃棄物２０の除染または廃棄物２０を廃棄物収納容器に収納することを意味し得るが、これに限定されない。
【００２６】
吸入ユニット１００は、複数の貫通配管１１を通じて原子炉圧力容器１０内部に挿入される複数の挿入体１１０を含む。
【００２７】
図２は、図１のＡ部分を示した図である。
【００２８】
図２を参照すれば、複数の挿入体１１０は、フレキシブル吸入器１１１、カメラ１１２、放射線計測器（図示せず）、マニピュレータ（ｍａｎｉｐｕｌａｔｏｒ）１１３、薬品注入器１１４、攪拌機１１５、超音波発生器１１６、および空気注入器（図示せず）を含む。
【００２９】
フレキシブル吸入器１１１はフレキシブル（ｆｌｅｘｉｂｌｅ）であり、貫通配管１１を通じて原子炉圧力容器１０内部に挿入されて原子炉圧力容器１０内部の廃棄物２０を吸入する。
【００３０】
ここで、廃棄物２０は原子炉圧力容器１０内部に位置する冷却水、原子炉圧力容器１０内部の炉心で反応して残った反応物であってもよく、廃棄物２０は固体２１および液体２２を含む。固体２１はクラッド（ｃｒｕｄ）またはスラッジ（ｓｌｕｄｇｅ）などの形態を有することができるが、これに限定されない。
【００３１】
フレキシブル吸入器１１１は、貫通配管１１を通じて原子炉圧力容器１０内部に挿入されてフレキシブルに移動して廃棄物２０を吸入することができれば、公知された多様な形態の吸入器であってもよい。
【００３２】
カメラ１１２は、貫通配管１１を通じて原子炉圧力容器１０内部に挿入されて原子炉圧力容器１０内部を確認する。カメラ１１２は廃棄物２０に含まれている固体２１の位置を確認することができるが、これに限定されない。
【００３３】
カメラ１１２は、貫通配管１１を通じて原子炉圧力容器１０内部に挿入されて原子炉圧力容器１０内部を確認することができれば、公知された多様な形態のカメラであってもよい。
【００３４】
放射線計測器は、貫通配管１１を通じて原子炉圧力容器１０内部に挿入されて原子炉圧力容器１０内部の放射線濃度を計測する。放射線計測器は、貫通配管１１を通じて原子炉圧力容器１０内部に挿入されて原子炉圧力容器１０内部の放射線濃度を確認することができれば、公知された多様な形態の放射線計測器であってもよい。
【００３５】
マニピュレータ１１３は、貫通配管１１を通じて原子炉圧力容器１０内部に挿入されて原子炉圧力容器１０内部の廃棄物２０の固体２１を物理的に破砕することができる。マニピュレータ１１３の端部には廃棄物２０の固体２１を破砕するための多様なエンドエフェクタ（ｅｎｄ  ｅｆｆｅｃｔｏｒ）が配置できる。一例として、マニピュレータ１１３のエンドエフェクタは回転鋸であってもよいが、これに限定されず、廃棄物２０の固体２１を破砕することができれば公知された多様な形態のエンドエフェクタであってもよい。
【００３６】
マニピュレータ１１３は、貫通配管１１を通じて原子炉圧力容器１０内部に挿入されて原子炉圧力容器１０内部の廃棄物２０の固体２１を物理的に破砕することができれば、公知された多様な形態のマニピュレータであってもよい。
【００３７】
薬品注入器１１４は、貫通配管１１を通じて原子炉圧力容器１０内部に挿入されて原子炉圧力容器１０内部の廃棄物２０の固体２１を化学的に溶解することができる。薬品注入器１１４は、廃棄物２０の固体２１を化学的に溶解することができる公知された多様な薬品を原子炉圧力容器１０内部に注入することができる。
【００３８】
薬品注入器１１４は、貫通配管１１を通じて原子炉圧力容器１０内部に挿入されて原子炉圧力容器１０内部の廃棄物２０の固体２１を化学的に溶解することができれば、公知された多様な薬品を注入する多様な形態の薬品注入器であってもよい。
【００３９】
攪拌機１１５は、貫通配管１１を通じて原子炉圧力容器１０内部に挿入されて原子炉圧力容器１０内部の廃棄物２０を攪拌する。攪拌機１１５は、廃棄物２０を攪拌して廃棄物２０に含まれている固体２１の破砕物または溶解物を廃棄物２０に含まれている液体２２とかき混ぜる。
【００４０】
攪拌機１１５は、貫通配管１１を通じて原子炉圧力容器１０内部に挿入されて原子炉圧力容器１０内部の廃棄物２０を攪拌することができれば、公知された多様な形態の攪拌機であってもよい。
【００４１】
超音波発生器１１６は、貫通配管１１を通じて原子炉圧力容器１０内部に挿入されて原子炉圧力容器１０内部の廃棄物２０に超音波を発生する。超音波発生器１１６は、廃棄物２０に超音波を発生して廃棄物２０に含まれている固体２１の破砕物または溶解物を廃棄物２０に含まれている液体２２とかき混ぜることができる。固体２１の破砕物または溶解物が液体２２と攪拌されれば、攪拌された廃棄物２０はスラリー（ｓｌｕｒｒｙ）の形態を有することができ、この攪拌された廃棄物２０はフレキシブル吸入器１１１を用いて吸入できる。
【００４２】
超音波発生器１１６は、貫通配管１１を通じて原子炉圧力容器１０内部に挿入されて原子炉圧力容器１０内部の廃棄物２０に超音波を発生することができれば、公知された多様な形態の超音波発生器であってもよい。
【００４３】
空気注入器（図示せず）は、貫通配管１１を通じて原子炉圧力容器１０内部に挿入されて原子炉圧力容器１０内部の廃棄物２０に空気を注入する。
【００４４】
空気注入器（図示せず）から注入された空気によって廃棄物２０に含まれている固体２１の破砕物または溶解物が廃棄物２０に含まれている液体２２とかき混ぜられ、原子炉圧力容器１０の底部に残存する廃棄物２０を設定された位置に移動できる。
【００４５】
カメラ１１２によって確認されて、マニピュレータ１１３、薬品注入器１１４、攪拌機１１５、超音波発生器１１６、および空気注入器（図示せず）によって前述のように処理された廃棄物２０は、フレキシブル吸入器１１１によって吸入されて廃棄物処理部２００に移動できる。
【００４６】
再び図１を参照すれば、廃棄物処理部２００は、吸入ユニット１００および下部収集部３００と連結される。廃棄物処理部２００は、吸入ユニット１００によって吸入された廃棄物２０および下部収集部３００が収集した落下廃棄物を処理する。
【００４７】
一例として、廃棄物処理部２００は、廃棄物２０を除染するか、または廃棄物２０を廃棄物収納容器に収納することができる。
【００４８】
下部収集部３００は、吸入ユニット１００を挟んで原子炉圧力容器１０下部に位置する。下部収集部３００は、原子炉圧力容器１０と重畳し、吸入ユニット１００に比べて２次元的に大きな面積を有する。
【００４９】
下部収集部３００は、吸入ユニット１００が原子炉圧力容器１０内部の廃棄物２０を吸入する時、原子炉圧力容器１０内部から複数の貫通配管１１を通じて落下する落下廃棄物を収集する。
【００５０】
下部収集部３００は廃棄物処理部２００と連結され、下部収集部３００が収集した落下廃棄物は廃棄物処理部２００に移動して廃棄物処理部２００で処理される。
【００５１】
以上のように、一実施形態による原子炉圧力容器の廃棄物処理装置１０００は、原子炉圧力容器１０内部の廃棄物２０を処理する時、原子炉圧力容器１０に別途のホール（ｈｏｌｅ）を形成せず、炉内計測器｛Ｉｎ−ｃｏｒｅ  ｉｎｓｔｒｕｍｅｎｔ（ＩＣＩ）｝ノズルをガイドする貫通配管１１を通じて原子炉圧力容器１０内部の廃棄物２０を、吸入ユニット１００を用いて吸入して廃棄物処理部２００で処理することによって、原子炉圧力容器１０の構造を変更する別途の追加的な工程および設備が必要ではない。
【００５２】
また、一実施形態による原子炉圧力容器の廃棄物処理装置１０００は、原子炉圧力容器１０内部の廃棄物２０を処理する時、吸入ユニット１００の挿入体１１０に含まれているカメラ１１２、マニピュレータ１１３、薬品注入器１１４、攪拌機１１５、超音波発生器１１６、および空気注入器（図示せず）を用いて、廃棄物２０の固体２１の位置を確認して固体２１を物理的に破砕するか、化学的に溶解して液体２２と攪拌することによって、挿入体１１０に含まれているフレキシブル吸入器１１１を用いて廃棄物２０を容易に吸入して廃棄物処理部２００に移送するため、廃棄物処理部２００で廃棄物２０を容易に処理することができる。
【００５３】
また、一実施形態による原子炉圧力容器の廃棄物処理装置１０００は、原子炉圧力容器１０内部の廃棄物２０を、吸入ユニット１００を用いて吸入する時、原子炉圧力容器１０内部から複数の貫通配管１１を通じて落下する落下廃棄物を下部収集部３００に収集して廃棄物処理部２００に移送するため、原子炉圧力容器１０内部の廃棄物２０処理時、落下廃棄物によって原子炉圧力容器１０周辺が汚染されることを抑制する。
【００５４】
即ち、原子力施設の解体時、原子炉圧力容器１０内部の廃棄物２０を容易に処理する原子炉圧力容器の廃棄物処理装置１０００が提供される。
【００５５】
以下、図１〜図３を参照して、他の実施形態による原子炉圧力容器の廃棄物処理方法を説明する。
【００５６】
他の実施形態による原子炉圧力容器の廃棄物処理方法は前述の一実施形態による原子炉圧力容器の廃棄物処理装置を用いて行うことができるが、これに限定されない。
【００５７】
図３は、他の実施形態による原子炉圧力容器の廃棄物処理方法を示すフローチャートである。
【００５８】
図１〜図３を参照すれば、まず、原子炉圧力容器１０の下部を貫通する複数の貫通配管１１を通じて原子炉圧力容器１０内部に吸入ユニット１００を挿入する（Ｓ１００）。
【００５９】
具体的には、原子炉圧力容器１０下部の貫通配管１１を貫通する炉内計測器｛Ｉｎ−ｃｏｒｅ  ｉｎｓｔｒｕｍｅｎｔ（ＩＣＩ）｝ノズルを除去し、貫通配管１１を密封する。
【００６０】
原子炉圧力容器１０下部に吸入ユニット１００および下部収集部３００を位置させ、吸入ユニット１００に含まれている挿入体１１０を、貫通配管１１を通じて原子炉圧力容器１０内部に挿入する。
【００６１】
その次に、吸入ユニット１００を用いて原子炉圧力容器１０内部の廃棄物２０を吸入する（Ｓ２００）。
【００６２】
具体的には、吸入ユニット１００に含まれている挿入体１１０を、貫通配管１１を通じて原子炉圧力容器１０内部に挿入して廃棄物２０の吸入を行う。
【００６３】
まず、複数の挿入体１１０に含まれているカメラ１１２を用いて原子炉圧力容器１０内部の廃棄物２０に含まれている固体２１を確認する。
【００６４】
その次に、複数の挿入体１１０に含まれているマニピュレータ１１３を用いて廃棄物２０に含まれている固体２１を物理的に破砕する。
【００６５】
その次に、複数の挿入体１１０に含まれている薬品注入器１１４を用いて廃棄物２０に含まれている固体２１を化学的に溶解する。
【００６６】
その次に、複数の挿入体１１０に含まれている攪拌機１１５および超音波発生器１１６を用いて廃棄物２０を攪拌して廃棄物２０に含まれている固体２１の破砕物または溶解物を廃棄物２０に含まれている液体２２とかき混ぜる。
【００６７】
その次に、複数の挿入体１１０に含まれているフレキシブル吸入器１１１を用いて原子炉圧力容器１０内部の廃棄物２０を吸入する。
【００６８】
フレキシブル吸入器１１１を用いて攪拌された廃棄物２０を吸入することができ、廃棄物２０に含まれている固体２１の処理前に廃棄物２０に含まれている冷却水を優先吸入することができる。
【００６９】
吸入ユニット１００を用いて廃棄物２０を吸入した後、貫通配管１１を密封することができる。
【００７０】
その次に、複数の貫通配管１１を通じて原子炉圧力容器１０内部から落下する落下廃棄物２０を、吸入ユニット１００を挟んで原子炉圧力容器１０下部に位置する下部収集部３００に収集する（Ｓ３００）。
【００７１】
具体的には、吸入ユニット１００が原子炉圧力容器１０内部の廃棄物２０を吸入する時、下部収集部３００を用いて原子炉圧力容器１０内部から複数の貫通配管１１を通じて落下する落下廃棄物を収集する。
【００７２】
その次に、吸入ユニット１００および下部収集部３００と連結された廃棄物処理部２００を用いて廃棄物２０および落下廃棄物を処理する（Ｓ４００）。
【００７３】
具体的には、吸入ユニット１００によって吸入された廃棄物２０および下部収集部３００が収集した落下廃棄物を、吸入ユニット１００および下部収集部３００と連結された廃棄物処理部２００に移送して廃棄物２０を除染するか、廃棄物２０を廃棄物収納容器に収納して処理する。
【００７４】
以上のように、他の実施形態による原子炉圧力容器の廃棄物処理方法は、原子炉圧力容器１０内部の廃棄物２０を処理する時、原子炉圧力容器１０に別途のホール（ｈｏｌｅ）を形成せず、炉内計測器｛Ｉｎ−ｃｏｒｅ  ｉｎｓｔｒｕｍｅｎｔ（ＩＣＩ）｝ノズルをガイドする貫通配管１１を通じて原子炉圧力容器１０内部の廃棄物２０を、吸入ユニット１００を用いて吸入して廃棄物処理部２００で処理することによって、原子炉圧力容器１０の構造を変更する別途の追加的な工程が必要ではない。
【００７５】
また、他の実施形態による原子炉圧力容器の廃棄物処理方法は、原子炉圧力容器１０内部の廃棄物２０を処理する時、吸入ユニット１００の挿入体１１０に含まれているカメラ１１２、マニピュレータ１１３、薬品注入器１１４、攪拌機１１５、超音波発生器１１６、および空気注入器（図示せず）を用いて廃棄物２０の固体２１の位置を確認して固体２１を物理的に破砕するか、化学的に溶解して液体２２と攪拌することによって、挿入体１１０に含まれているフレキシブル吸入器１１１を用いて廃棄物２０を容易に吸入して廃棄物処理部２００に移送するため、廃棄物処理部２００で廃棄物２０を容易に処理することができる。
【００７６】
また、他の実施形態による原子炉圧力容器の廃棄物処理方法は、原子炉圧力容器１０内部の廃棄物２０を、吸入ユニット１００を用いて吸入する時、原子炉圧力容器１０内部から複数の貫通配管１１を通じて落下する落下廃棄物を下部収集部３００に収集して廃棄物処理部２００に移送するため、原子炉圧力容器１０内部の廃棄物２０処理時、落下廃棄物によって原子炉圧力容器１０周辺が汚染されることを抑制する。
【００７７】
即ち、原子力施設の解体時、原子炉圧力容器１０内部の廃棄物２０を容易に処理する原子炉圧力容器の廃棄物処理方法が提供される。
【００７８】
以上で本発明の実施形態について詳細に説明したが、本発明の権利範囲はこれに限定されるのではなく、次の特許請求の範囲で定義している本発明の基本概念を用いた当業者の様々な変形および改良形態も本発明の権利範囲に属するのである。
【符号の説明】
【００７９】
１０      原子炉圧力容器
１１      貫通配管
１００    吸入ユニット
２００    廃棄物処理部
３００    下部収集部
【図１】
0006988011.tif 000002
【図２】
0006988011.tif 000003
【図３】
0006988011.tif 000004